(57)【要約】【課題】  構造が簡単で作動が便利でありながらもトランクの積載空間を充分に確保することができるトランク開閉装置を提供する。【解決手段】本発明のトランク開閉装置は、モーターを備えたモーター部、前記モーター部の外側を取り囲む形状をなし、外周面に複数の突起が突設された内側チューブ、前記内側チューブの外側を取り囲む形状をなし、内周面に沿ってネジ溝が湾入形成された外側チューブ、バー状をなし、外周面に沿ってネジ部が形成され、前記モーター部に結合され、モーターの回転時、ネジ部が外側チューブのネジ溝と噛み合うことで、回転運動と同時に併進運動を行うスピンドル、及び、前記外側チューブの外周面に巻き取られる弾性部材、を含むことを特徴とする。【選択図】  図１
2015055152.tif 000002
【特許請求の範囲】
【請求項１】
モーターを備えたモーター部、
前記モーター部の外側を取り囲む形状をなし、外周面に複数の突起が突設された内側チューブ、
前記内側チューブの外側を取り囲む形状をなし、内周面に沿ってネジ溝が湾入形成された外側チューブ、
バー状をなし、外周面に沿ってネジ部が形成され、前記モーター部に結合され、モーターの回転時、ネジ部が外側チューブのネジ溝と噛み合うことで、回転運動と同時に併進運動を行うスピンドル、及び
前記外側チューブの外周面に巻き取られる弾性部材、
を含むことを特徴とするトランク開閉装置。
【請求項２】
前記モーター部は前記内側チューブの内側に密着結合され、モーター回転の際、モーター部が内側チューブから離脱しないようにされていることを特徴とする請求項１に記載のトランク開閉装置。
【請求項３】
前記内側チューブの長さは前記外側チューブの長さより短く形成されたことを特徴とする請求項１に記載のトランク開閉装置。
【請求項４】
前記内側チューブは前記外側チューブと密着結合されることを特徴とする請求項１に記載のトランク開閉装置。
【請求項５】
前記内側チューブは前記外側チューブと密着結合され、モーター回転の際、内側チューブの突起が外側チューブを支持して外側チューブが回転しないようにされていることを特徴とする請求項１に記載のトランク開閉装置。
【請求項６】
前記外側チューブは柔軟性素材から形成され、前記スピンドルの併進運動の際に長さが可変であることを特徴とする請求項１に記載のトランク開閉装置。
【請求項７】
前記外側チューブの両端部には蓋状のカバーが備えられ、カバーには案内係合具が形成され、案内係合具によって外側チューブが車体と結合されることを特徴とする請求項１に記載のトランク開閉装置。
【請求項８】
前記外側チューブの一端はリアシートの後方側に結合され、他端はトランクリッドヒンジに結合されることを特徴とする請求項１に記載のトランク開閉装置。
【発明の詳細な説明】
【技術分野】
【０００１】
本発明はトランク開閉装置に係り、より詳しくはトランクの空間をより広く確保することができるトランク開閉装置に関する。
【背景技術】
【０００２】
従来の車両のトランク開閉装置に関して、ヒンジアームとトーションバーは車両で現在広く使われている技術である。車両の使用者にとってトランク空間は重要な商品価値であるので、車両のメーカーは車両のトランク空間の拡大のために最大限の努力を傾けている。
したがって、特許文献１の“自動車トランクリッド自動開閉装置”は、自動車のトランクを自動で開閉する装置において、スピンドルの回転力でグースネックを移動させるチューブ部、スピンドルの回転のための動力を伝達し、チューブ部の一側下端に離隔して形成される駆動部、及びチューブ部と駆動部を構造的に連結し、駆動部の動力をチューブ部に伝達する連結部、を含み、“コ“字形に形成して車両のトランク開閉を便利にした。
【０００３】
しかし、従来技術による車両のトランク開閉装置において、ヒンジアームとトーションバーを使う技術は、トランクが閉まったとき、ヒンジアームによるラゲージ空間の損失を勘案しなければならず、ラゲージに積載された品物によってトーションバーが損傷する問題点がある。
また、近年重量型車両においては、ガスリフトをラゲージの外側に設置してラゲージ空間を確保しているが、複雑な構造によって材料費及び組立工数が上昇する問題点がある。
【先行技術文献】
【特許文献】
【０００４】
【特許文献１】大韓民国特許公開第１０−２０１１−００２８９２０Ａ号                    明細書
【特許文献２】特表２００９−５１３８５１号公報
【発明の概要】
【発明が解決しようとする課題】
【０００５】
本発明はこのような問題点を解決するためになされたものであって、構造が簡単で取扱いが容易でありながらもトランクの積載空間を充分に確保することができるトランク開閉装置を提供することにその目的がある。
【課題を解決するための手段】
【０００６】
本発明のトランク開閉装置は、モーターを備えたモーター部、前記モーター部の外側を取り囲む形状をなし、外周面に複数の突起が突設された内側チューブ、
前記内側チューブの外側を取り囲む形状をなし、内周面に沿ってネジ溝が湾入形成された外側チューブ、バー状をなし、外周面に沿ってネジ部が形成され、前記モーター部に結合され、モーターの回転時、ネジ部が外側チューブのネジ溝と噛み合うことで、回転運動と同時に併進運動を行うスピンドル、及び、前記外側チューブの外周面に巻き取られる弾性部材、を含むことを特徴とする。
【０００７】
前記モーター部は前記内側チューブの内側に密着結合され、モーター回転の際、モーター部が内側チューブから離脱しないようにされていることを特徴とする。
【０００８】
前記内側チューブの長さは前記外側チューブの長さより短く形成されたことを特徴とする。
【０００９】
前記内側チューブは前記外側チューブと密着結合されることを特徴とする。
【００１０】
前記内側チューブは前記外側チューブと密着結合され、モーター回転の際、内側チューブの突起が外側チューブを支持して外側チューブが回転しないようにされていることを特徴とする。
【００１１】
前記外側チューブは柔軟性素材から形成され、前記スピンドルの併進運動の際に長さが可変であることを特徴とする。
【００１２】
前記外側チューブの両端部には蓋状のカバーが備えられ、カバーには案内係合具が形成され、案内係合具によって外側チューブが車体と結合されることを特徴とする。
【００１３】
前記外側チューブの一端はリアシートの後方側に結合され、他端はトランクリッドヒンジに結合されることを特徴とする。
【発明の効果】
【００１４】
このような構造のトランク開閉装置によれば、従来とは異なり、外側チューブの内周面にネジ溝を形成し、スピンドルの外径と外側チューブの内径を同一に形成してスピンドルのネジ部が外側チューブのネジ溝と噛み合うように形成することで、従来使われたナットギアアセンブリーとスプリングガイドチューブを無くすことができるので、構造が簡単になりコストが節減される。
また、従来のスピンドルに比べて大径のスピンドルを使うことができ、スピンドルと外側チューブの接触面積が増大するので、同一荷重が作用するとき、接触面積当たり応力が減少して部品の耐久性を向上させ、モーターの１回転当たりスピンドルの併進運動距離が増加して、モーターのＲＰＭを１／２以上減少した低ＲＰＭで作動させることができることにより、騷音が改善され、モーターの耐久性を向上させることができる利点があり、また、従来に比べて約１３８ｍｍにあたる部品の総長さを縮小することができ、トランク開閉装置のマウンティングを車両の前方側に移動させることが可能となるので、トランクルーム空間の活用度を高めることができる。
【図面の簡単な説明】
【００１５】
【図１】本発明の一実施例によるトランク開閉装置を示す図である。
【図２】図１のＡ−Ａ線断面図である。
【図３】図２のＢ−Ｂ線断面図である。
【図４】図２のＣ部を詳細に示す図である。
【図５】図２のＤ部を詳細に示す図である。
【図６】モーター部とスピンドルを詳細に示す図である。
【図７】トランクの閉鎖時のトランク開閉装置の状態を示す図である。
【図８】トランクの開放時のトランク開閉装置の状態を示す図である。
【図９】図８のＥ部を詳細に示す図である。
【図１０】図８のＦ部を詳細に示す図である。
【発明を実施するための形態】
【００１６】
以下、添付図面に基づいて本発明の好適な実施例によるトランク開閉装置について詳細に説明する。
図１は本発明の一実施例によるトランク開閉装置を示す図、図２は図１のＡ−Ａ線断面図、図３は図２のＢ−Ｂ線断面図である。図４は図２のＣ部を詳細に示す図、図５は図２のＤ部を詳細に示す図、図６はモーター部１００とスピンドル７００を詳細に示す図である。また、図７はトランクの閉鎖時のトランク開閉装置の状態を示す図、図８はトランクの開放時のトランク開閉装置の状態を示す図、図９は図８のＥ部を詳細に示す図、図１０は図８のＦ部を詳細に示す図である。
【００１７】
本発明のトランク開閉装置は、モーター１１０を備えたモーター部１００、モーター部１００の外側を取り囲む形状をなし、外周面に複数の突起３１０が突設された内側チューブ３００、内側チューブ３００の外側を取り囲む形状をなし、内周面に沿ってネジ溝５１０が湾入形成された外側チューブ５００、バー状をなし、外周面に沿ってネジ部７１０が形成され、モーター部１００に結合され、モーター１１０の回転時にネジ部７１０が外側チューブ５００のネジ溝５１０と噛み合うことで、回転運動と同時に併進運動を行うスピンドル７００、及び外側チューブ５００の外周面に巻き取られる弾性部材９００、を含む。
【００１８】
内側チューブ３００と外側チューブ５００は相当程度の柔軟性及び摩擦力を有する素材からなり、モーター部１００は内側チューブ３００の内側に密着結合され、モーター１１０回転時にもモーター部１００と内側チューブ３００間の摩擦力によって堅く締結されているので、モーター部１００が内側チューブ３００から離脱しないようになっている。
図４及び図５に示す通り、図２のＣ部は、モーター部１００と、モーター部１００を外側で取り囲む内側チューブ３００と、内側チューブ３００の外側を取り囲む外側チューブ５００とからなること、図２のＤ部は、スピンドル７００と接触する面にネジ溝５１０が形成された外側チューブ５００のみを確認することができる。
【００１９】
すなわち、内側チューブ３００の長さは外側チューブ５００の長さより短く形成され、内側チューブ３００はモーター部１００のみを取り囲むように形成され、内側チューブ３００の外側には外側チューブ５００が密着して結合するように形成され、モーター１１０の回転時にもモーター部１００、内側チューブ３００及び外側チューブ５００が互いに分離しないようにして、スピンドル７００が回転と同時に前後方向に併進運動することができるようにするものである。
内側チューブ３００は外側チューブ５００と密着結合され、モーター１１０の回転時、内側チューブ３００の突起３１０が外側チューブ５００を支持し、モーター１１０とスピンドル７００の回転によっても外側チューブ５００が回転しないようにして、外側チューブ５００のネジ溝５１０とスピンドル７００のネジ部７１０が噛み合い、スピンドル７００が回転と同時に併進運動することができるようになっている。
【００２０】
また、外側チューブ５００は柔軟性素材からなり、トランクＴＫの開放時には、外側チューブ５００の外周面に巻き取られた弾性部材９００と外側チューブ５００が引っ張られ、トランクＴＫの閉鎖時には、弾性部材９００と外側チューブ５００の収縮によって元の状態に戻るようになる。
外側チューブ５００の両端部には外側チューブ５００を完全に密閉する蓋状のカバー５３０が備えられ、カバー５３０には案内係合具５５０が形成され、案内係合具５５０によって外側チューブ５００が車体と結合される。より詳しくは、外側チューブ５００の一端はリアシートの後方側にボールジョイントＢＪを介して結合され、他端はトランクリッドヒンジＴＨにボールジョイントＢＪを介して結合され、トランクＴＫの開放時、モーター部１００のモーター１１０の回転によってスピンドル７００が回転し、外側チューブ５００と弾性部材９００が引っ張られてトランクリッドヒンジＴＨを押し上げることによってトランクＴＫが開放される構造であり、組立方式もガスリフトを組立てる方式と同様にボールソケットによって組立てるようになっている。
【００２１】
本発明のトランク開閉装置は、従来とは異なり、外側チューブの内周面にネジ溝を形成し、スピンドルの外径と外側チューブの内径を同一に形成して、スピンドルのネジ部が外側チューブのネジ溝と噛み合うように形成することで、従来使われたナットギアアセンブリーとスプリングガイドチューブを無くすことができるので、構造が簡単になって費用が節減される。
また、従来のスピンドルに比べて大径のスピンドルを使うことができ、スピンドルと外側チューブの接触面積が増大するので、同一荷重が作用するとき、接触面積当たり応力が減少して部品の耐久性を向上させ、モーターの１回転当たりスピンドルの併進運動距離が増加して、モーターのＲＰＭを１／２以上減少した低ＲＰＭで作動させることができる。これにより、騷音が改善され、モーターの耐久性を向上させることができる利点があり、従来に比べて約１３８ｍｍ相当の部品の合計長さを縮小することができ、トランク開閉装置のマウンティングを車両の前方側に移動させることで、トランクルーム空間の活用度を高めることができる。
【００２２】
以上、本発明に関する好ましい実施形態を説明したが、本発明は前記実施形態に限定されるものではなく、本発明の属する技術分野を逸脱しない範囲での全ての変更が含まれる。
【産業上の利用可能性】
【００２３】
本発明は、構造が簡単で作動が便利でありながらもトランクの積載空間を充分に確保することができるトランク開閉装置に適用可能である。
【符号の説明】
【００２４】
１００    モーター部
１１０    モーター
３００    内側チューブ
３１０    突起
５００    外側チューブ
５１０    ネジ溝
５３０    カバー
５５０    案内係合具
７００    スピンドル
７１０    ネジ部
９００    弾性部材
【図１】
2015055152.tif 000003
【図２】
2015055152.tif 000004
【図３】
2015055152.tif 000005
【図４】
2015055152.tif 000006
【図５】
2015055152.tif 000007
【図６】
2015055152.tif 000008
【図７】
2015055152.tif 000009
【図８】
2015055152.tif 000010
【図９】
2015055152.tif 000011
【図１０】
2015055152.tif 000012